(57)【要約】【課題】  携帯電話などの表示装置において、表示画面を構成するＬＣＤにクロストークが発生する場合、クロストーク判定・軽減プログラムにより、ハードウェア部分に変更を加えることなく、クロストークの発生を除去もしくは軽減するようにした表示装置を得る。【解決手段】  表示装置において、ＣＰＵを制御するためのプログラムが搭載されているＲＯＭに、クロストークの発生を判定するクロストーク判定プログラムと、クロストークを軽減するクロストーク軽減プログラムを格納し、このクロストーク判定・軽減プログラムは、ＬＣＤの特性に応じて、表示画面に対応する表示データが、クロストークを発生するか否かを判定し、クロストークを発生すると判定した場合には、表示データを変換してクロストークを軽減するようにしたもの。【選択図】図１
2005201980.tif 000002
【特許請求の範囲】
【請求項１】
ＣＰＵ、このＣＰＵが実行するプログラムを格納する記憶部、表示データを画像表示するＬＣＤを備え、
前記記憶部は前記表示データを画像表示したとき前記ＬＣＤにクロストークが発生するか否かを判定するクロストーク判定プログラムとクロストークを軽減するクロストーク軽減プログラムとを格納し、
前記ＣＰＵは、前記記憶部の前記クロストーク判定プログラムに基いて前記表示データを判定し、クロストークを発生すると判定した場合に前記クロストーク軽減プログラムに基いてクロストークの発生を軽減するよう該表示データを変換して前記ＬＣＤに表示させることを特徴とする表示装置。
【請求項２】
前記クロストーク軽減プログラムを、クロストークの現象に対応して複数種類記憶部に格納し、前記クロストーク判定プログラムに基いて判定されたクロストークの現象に応じて選択して使用できるようにしたことを特徴とする請求項１に記載の表示装置。
【請求項３】
前記クロストーク判定プログラムによる判定は、前記ＬＣＤの色調を制御する一つのセグメントラインの各画素に印加される電圧の和と、予め設定された閾値電圧との比較によって、表示データがクロストークを発生するか否かを判定するようにしたことを特徴とする請求項１に記載の表示装置。
【請求項４】
前記クロストーク軽減プログラムによる表示データの変換は、前記ＬＣＤの一つのセグメントラインの各画素に印加する電圧を、所定値だけ小さくするようにしたことを特徴とする請求項２に記載の表示装置。
【発明の詳細な説明】
【技術分野】
【０００１】
この発明は、例えば、無線回線を使用して、音声やデータの通信を行う携帯電話装置等における表示装置に関し、特に、表示画面を構成するＬＣＤ上に発生するクロストークを軽減するようにした表示装置に関するものである。
【背景技術】
【０００２】
従来の表示装置としては、例えば特許文献１に示されるように、複数本の走査線を走査する期間ごとに液晶パネルに印加する電圧を極性反転し交流化する場合に、パネルに印加する電圧の極性を反転する前に信号線駆動回路から出力される電位をいったん走査線駆動回路の非選択電位と同電位にして、パネルに蓄えられた電荷を概略０にしてから極性を反転し、その後選択電位と非選択電位の電圧をパネルに印加することで、クロストークのない均一な表示を行なうようにしたものがある。
【０００３】
【特許文献１】特開平５−１５０７４７号公報
【発明の開示】
【発明が解決しようとする課題】
【０００４】
従来の表示装置においては、上記のように、すべての表示データに対してハードウェアにより走査線毎に極性を反転し、また出力電位をいったん０にするという構成であり、ある程度クロストークを軽減できるが、対処できない表示データ（例えば一走査線（セグメントライン）上に輝度の高い点（白）が連続するようなもの）が存在し、このような表示データ各々には対応できないという問題があった。
【０００５】
この発明は、上記のような課題を解決するためになされたものであって、表示画面を構成するＬＣＤにクロストークが発生する場合、予め用意されたクロストーク軽減プログラムにより、表示データを変換し、クロストークの発生を除去もしくは軽減するようにした表示装置を得ることを目的とする
【課題を解決するための手段】
【０００６】
（１）  この発明に係る表示装置は、ＣＰＵ、このＣＰＵが実行するプログラムを格納する記憶部、表示データを画像表示するＬＣＤを備え、
前記記憶部は前記表示データを画像表示したとき前記ＬＣＤにクロストークが発生するか否かを判定するクロストーク判定プログラムとクロストークを軽減するクロストーク軽減プログラムとを格納し、
前記ＣＰＵは、前記記憶部の前記クロストーク判定プログラムに基いて前記表示データを判定し、クロストークを発生すると判定した場合に前記クロストーク軽減プログラムに基いてクロストークの発生を軽減するよう該表示データを変換して前記ＬＣＤに表示させるようにしたものである。
【０００７】
（２）  また、この発明に係る表示装置は、前記クロストーク軽減プログラムを、クロストークの現象に対応して複数種類記憶部に格納し、前記クロストーク判定プログラムに基いて判定されたクロストークの現象に応じて選択して使用できるようにしたものである。
【０００８】
（３）  また、この発明に係る表示装置は、前記（１）の表示装置において、前記クロストーク判定プログラムによる判定は、前記ＬＣＤの色調を制御する一つのセグメントラインの各画素に印加される電圧の和と、予め設定された閾値電圧との比較によって、表示データがクロストークを発生するか否かを判定するようにしたものである。
【０００９】
（４）  また、この発明に係る表示装置は、前記（２）の表示装置において、前記クロストーク軽減プログラムによる表示データの変換は、前記ＬＣＤの一つのセグメントラインの各画素に印加する電圧を、所定値だけ小さくするようにしたものである。
【発明の効果】
【００１０】
この発明の表示装置によれば、クロストーク軽減プログラムを用いて表示画面ＬＣＤ上に発生するクロストークを軽減するよう構成したので、ＬＣＤの特性にバラツキがあっても、ハードウェア部分に変更を加えることなく、容易に、各種ＬＣＤの特性に対応したクロストークの除去もしくは軽減を行うことができるものである。
【発明を実施するための最良の形態】
【００１１】
実施の形態1．
以下、この発明の実施の形態１を、図１〜図４にもとづいて説明する。
図1は、この発明の実施の形態１による表示装置を備えた携帯電話装置の要部を表すブロック図である。
図２、図３は、この発明の実施の形態１による表示装置の、ＬＣＤクロストーク軽減制御の動作ステップを表すフローチャートである。
図４は、携帯電話装置の表示画面に用いられる一般的なＬＣＤの概略構成図である。
【００１２】
図1において、１は携帯電話装置、２は携帯電話装置の状態や画像を表示するための表示画面を構成するメインＬＣＤ、３は音を鳴らすためのスピーカ、４は携帯電話装置全体を制御する演算処理部であるＣＰＵ、５は画像撮影を行うためのカメラ部、６は各種データを格納するためのＲＡＭ、７は、表示画面ＬＣＤに画像を表示するためのプログラムと、ＬＣＤクロストークを判定し軽減するプログラム（クロストーク判定・軽減プログラム）を含む携帯電話装置全体の制御を行うプログラムコードが格納されているフラッシュＲＯＭ、８は操作キー、９は前記メインＬＣＤが見えない状況でも一部の情報を表示したり、カメラ撮影時は画像を表示することが可能な背面ＬＣＤである。
【００１３】
表示画面を構成する一般的なＬＣＤは、図４に示すように、画素の色調を制御するセグメントＳＥＧと、画素を点灯させるタイミングを制御するコモンＣＯＭから構成され、セグメントＳＥＧ部は、表示させる色調により印加する電圧を変化させ、コモンＣＯＭ部の点灯タイミング制御により、走査方向に従って描画を行う。
このようなＬＣＤにおいては、表示される色の輝度はＬＣＤ内の画素に印加する電圧に対応し、一セグメントライン上に輝度の高い（白い）画素が連続することで、この一列のセグメントラインに印加される実効電圧（各画素に印加される電圧の平均値相当）が高くなり、隣接するセグメントラインの実効電圧と大きな電圧差を生じる場合にクロストークが発生する（実効電圧の高いセグメントラインが隣接するセグメントラインに比べ白っぽく表示される）。ＬＣＤに画像を表示させる表示データは、上記画素に印加する電圧を示すものであるので、この表示データをあらかじめ定めた手順（クロストーク判定プログラム）で判定することにより、この表示データがクロストークを発生させるものであるかどうかを判断することができる。
【００１４】
次に動作について説明する。
図1において、使用者の操作キー８の操作により、携帯電話装置１を作動させると、ＣＰＵ４はこれを検知し、メインＬＣＤ２、背面ＬＣＤ９に転送する表示データが、クロストークを発生させる表示データかどうかをＬＣＤクロストーク判定プログラムにより判断する。
ここで、表示データがクロストークを発生させるデータであると判断した場合は、ＬＣＤクロストーク軽減プログラムにより表示データの変換を行い、変換した表示データをメインＬＣＤ２、背面ＬＣＤ９に転送し、画像を表示する。
表示データがクロストークを発生させないデータと判断した場合は、ＬＣＤクロストーク軽減プログラムによる表示データの変換は行わず、そのまま表示データをメインＬＣＤ２、背面ＬＣＤ９に転送し、画像を表示する。
【００１５】
つづいて、この発明のクロストーク判定プログラム、クロストーク軽減プログラムによる制御の詳細ステップを図２、図３を用いて説明する。
【００１６】
図２において、
（１）最初にステップＳ１で、操作キー８の操作により、メインＬＣＤ２、背面ＬＣＤ９への表示制御が開始する。
（２）ステップＳ２で、クロストーク判定プログラムによりメインＬＣＤ２、背面ＬＣＤ９に表示させるデータをチェックし、クロストークが発生する表示データか否かを判定する。この判定ステップの詳細については、図３により後述する。
【００１７】
（３）ステップＳ２で判定の結果、クロストークが発生する表示データであると判断した場合は、ステップＳ６で、クロストーク軽減プログラムにより表示データを変換する。
この変換ステップの詳細についても、図３により後述する。
（４）ステップＳ７で、クロストーク軽減プログラムにより変換された表示データをメインＬＣＤ２、背面ＬＣＤ９に転送する。
（５）ステップ８で、変換された表示データにより画像を表示する。
【００１８】
上記（２）のステップＳ２での判定の結果、クロストークが発生しない表示データであると判断した場合には、クロストーク軽減プログラムによる表示データの変換は行わず、表示データをそのままメインＬＣＤ２、背面ＬＣＤ９に転送する。
【００１９】
次に、上記（２）、（３）で述べたクロストーク判定プログラムによる判定ステップと、クロストーク軽減プログラムによるデータの変換ステップの詳細について、図３により説明する。クロストークの現象が複数種類あれば、その現象毎にクロストーク判定プログラムを用意し、クロストークを発生させる表示データであるか否かを判断する。そして、クロストークの現象毎に軽減方法（クロストーク軽減プログラム）を用意し、発生させると判断されたクロストークの現象に応じたクロストーク軽減プログラムで表示データを変換させクロストークを軽減するようにする。
例えば、画面のセグメントライン上に連続した白い（電圧の高い）部分を表示させる表示データが、「一列のセグメントラインが白っぽく表示される」というクロストーク現象を発生させる場合、一つのセグメントラインに対応する表示データの連続する白の部分の多さ、すなわち表示データの電圧の和の高さ（または実効電圧の高さ）が判断基準になる。
図３において、
（６）ステップＳ１での表示制御開始後、ステップＳ３で、表示画面を構成するＬＣＤの表示データに対する各セグメントＳＥＧのラインに関して、各々の画素に印加する電圧の和をとる。
（７）ステップＳ４で、上記ステップＳ３で求めた印加電圧の和値と、予め設定しておいた閾値とを比較し、上記和の値が、上記閾値以上か、否か、によって、表示データがクロストークを発生するかしないかの判定を行う。
（８）ステップＳ５で、上記ステップＳ４での判定結果にもとづき、各セグメントＳＥＧに関して、和の値が、設定した閾値以上と判定した場合には、閾値を超えたセグメントラインに関して、各々の画素に印加する電圧を、予め設定した一定の値分下げ、表示データの変換を行う。
（９）各セグメントＳＥＧに関して、和の値が、設定した閾値以上ではないと判定した場合には、クロストーク軽減プログラムによる変換は行わず、表示データをそのままＬＣＤに転送する。
【００２０】
なお、上記（７）のクロストークを発生させると判断する判定基準は、ＬＣＤの表示性能により適宜（例えば目視で）決定し、あらかじめ記憶しておく。
また、上記（８）の表示データの変換に際しても、電圧の下げ幅は、表示画面の色合いに著しい変化がなく許容できるレベルであることが必要である。すなわち、ＬＣＤの特性に対応した値を設定する必要がある。
このような要求に対しても、この発明によれば、各種ＬＣＤの特性に対応した、設定値の異なる複数種類のプログラムを用意し、これをＲＯＭに格納して、必要に応じ選択して使用するよう構成することによって、ＬＣＤの特性が異なる場合であっても、容易に対処することができるものである。
【００２１】
さらに、この実施の形態１における携帯電話装置では、メインＬＣＤにおいて待ち受け画面を表示している場合が多い。このとき、携帯電話装置として必要な情報である、受信強度を示すアンテナマーク、電池残量を示す電池マークなどが通常定められた場所に表示されている。これらのマークはユーザーが適宜待ち受け画面として選択した画像上で識別され易いように、白抜き（連続する白の部分を含む）で表示されており、これによりクロストークが発生される可能性が高い。したがって、待ち受け時など、アンテナマーク、電池マークが特定の場所に表示されている場合は、その特定の場所のセグメントラインに対応する表示データに対してクロストークを発生するか否かの判定を行ない軽減するように制御することが可能であり、判定制御が簡素化される効果がある。
また、待ち受け画面の画像の種類（例えば全体的に明るい／暗い）によっても、クロストークの現象が異なる場合がある。このような場合は、画像データに基づきクロストーク軽減プログラムを選択し使用することでより効果的なクロストークの軽減を行なうことができる。
【００２２】
以上のように、この発明の実施の形態１の表示装置によれば、クロストーク軽減プログラムを用いて表示画面ＬＣＤ上に発生するクロストークを軽減するよう構成したので、ＬＣＤの特性にバラツキがあっても、ハードウェア部分に変更を加えることなく、容易に、各種ＬＣＤの特性に対応したクロストークの除去もしくは軽減を行うことができるものである。
【産業上の利用可能性】
【００２３】
この発明は、携帯電話等の画像の表示画面にＬＣＤを有する端末機器に適用できるものである。
【図面の簡単な説明】
【００２４】
【図１】この発明の実施の形態１の表示装置を備えた携帯電話装置の要部の構成を示すブロッ図である。
【図２】この発明の実施の形態１における表示装置の、ＬＣＤクロストーク軽減制御の動作ステップを表すフローチャートである。
【図３】この発明の実施の形態１におけるクロストーク判定・軽減プログラムの、判定部および変換部の制御ステップの一例を示すフローチャートである。
【図４】携帯電話装置の表示画面に使用される一般的なＬＣＤの概略構成図である。
【符号の説明】
【００２５】
１  携帯電話装置、２  メインＬＣＤ、３  スピーカ、４  ＣＰＵ、５  カメラ、
６  ＲＡＭ、７  フラッシュＲＯＭ、８  操作キー、９  背面ＬＣＤ。
【図１】
2005201980.tif 000003
【図２】
2005201980.tif 000004
【図３】
2005201980.tif 000005
【図４】
2005201980.tif 000006